(57)【要約】【課題】            適切な換気風量を設定し、衣類の乾燥時間の短縮、乾燥効率の向上を推し図る。【解決手段】        乾燥室内の空気を換気する換気用送風機と、乾燥室内の空気を循環させて加熱するヒータを有する循環用送風機と、乾燥室内の温度と湿度を検知する検知手段とを備えた換気乾燥機において、換気風量をある時間（例えば１０分）毎に切換えて行くにあたり、換気風量切換え後の乾・湿球温度差を、乾・湿球温度差が安定する所定の時間後に検出し、換気風量切換え前の乾・湿球温度差を所定の時間後と同時刻に対応する値を外挿してＫＧを求め、換気風量切換え前後で、その時の乾燥室内の乾・湿球温度差が大きくなるように換気風量を選択して切換えるようにする。【選択図】          図５
2006064332.tif 000002
【特許請求の範囲】
【請求項１】
乾燥室内の空気を換気する換気用送風機と、この乾燥室内の空気を循環させて加熱するヒータを有する循環用送風機と、前記乾燥室内の温度と湿度を検知する検知手段とを備えた換気乾燥機において、換気風量をある時間毎に切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした換気乾燥機の制御方法。
【請求項２】
乾燥室内の空気を換気する換気用送風機と、この乾燥室内の空気を循環させて加熱するヒータを有する循環用送風機と、前記乾燥室内の温度と湿度を検知する検知手段とを備えた換気乾燥機において、換気風量を前記乾燥室内の空気のある設定相対湿度によって切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした換気乾燥機の制御方法。
【請求項３】
乾燥室内の空気を換気する換気用送風機と、この乾燥室内の空気を循環させて加熱するヒータを有する循環用送風機と、前記乾燥室内の温度と湿度を検知する検知手段とを備えた換気乾燥機において、換気風量を前記乾燥室内の空気のある設定絶対湿度によって切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした換気乾燥機の制御方法。
【請求項４】
乾燥室内の空気を換気する換気用送風機と、この乾燥室内の空気を循環させて加熱するヒータを有する循環用送風機と、前記乾燥室内外の温度と湿度を検知する検知手段とを備えた換気乾燥機において、換気風量を前記乾燥室内外の設定絶対湿度差によって切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした換気乾燥機の制御方法。
【請求項５】
乾燥室内の空気を換気する換気用送風機と、この乾燥室内の空気を循環させて加熱するヒータを有する循環用送風機と、前記乾燥室内の温度と湿度を検知する検知手段とを備えた換気乾燥機であって、換気風量をある時間毎に切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした制御手段を備えた換気乾燥機。
【請求項６】
乾燥室内の空気を換気する換気用送風機と、この乾燥室内の空気を循環させて加熱するヒータを有する循環用送風機と、前記乾燥室内の温度と湿度を検知する検知手段とを備えた換気乾燥機であって、換気風量を前記乾燥室内の空気のある設定相対湿度によって切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした制御手段を備えた換気乾燥機。
【請求項７】
乾燥室内の空気を換気する換気用送風機と、この乾燥室内の空気を循環させて加熱するヒータを有する循環用送風機と、前記乾燥室内の温度と湿度を検知する検知手段とを備えた換気乾燥機であって、換気風量を前記乾燥室内の空気のある設定絶対湿度によって切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした制御手段を備えた換気乾燥機。
【請求項８】
乾燥室内の空気を換気する換気用送風機と、この乾燥室内の空気を循環させて加熱するヒータを有する循環用送風機と、前記乾燥室内外の温度と湿度を検知する検知手段とを備えた換気乾燥機であって、換気風量を前記乾燥室内外の設定絶対湿度差によって切換えて行くにあたり、換気風量切換え後の乾・湿球温度差を、乾・湿球温度差が安定する所定の時間後に検出し、換気風量切換え前の乾・湿球温度差を前記所定の時間後と同時刻に対応する値を外挿して検出し、換気風量切換え前後で、その時の前記乾燥室内の乾・湿球温度差が大きくなるように換気風量を選択して切換えるようにした制御手段を備えた換気乾燥機。
【発明の詳細な説明】
【技術分野】
【０００１】
本発明は、浴室等、特定の乾燥室を乾燥させ衣類の乾燥の用に供することができる換気乾燥機の制御方法及び換気乾燥機に関するものである。
【背景技術】
【０００２】
従来の換気乾燥機は、乾燥室である浴室内の空気を浴室外に排気する換気用送風機と、浴室内の空気を循環して暖めるヒータを有する循環用送風機とを備え、浴室の天井に設けられるようになっている。こうした換気乾燥機による衣類の乾燥方法については、循環用送風機の温風量とヒータへの通電量を一定とし、乾燥前半には換気風量を多くし、乾燥後半には換気風量を少なくする仕方や、さらには、換気風量の切換え前後における浴室内の乾・湿球温度差を求めて比較し、その乾・湿球温度差がより大きい方に対応する換気風量を選択する仕方が提供されている。なお、この種の従来技術としては、特許文献１及び特許文献２に開示されている。
【０００３】
【特許文献１】特開平９−２８５６９５号公報
【特許文献２】特開２００２−２７３０９７号公報
【発明の開示】
【発明が解決しようとする課題】
【０００４】
乾燥前半には換気風量を多くし、乾燥後半には換気風量を少なくする仕方は、換気風量の切換えタイミングの設定が甚だ難しい。即ち、浴室の温度、湿度、衣類重量、浴室の広さ等で切換えタイミングが異なり、これらを考慮して切換えタイミングを設定しなくてはならない。これに対し、換気風量の切換え前後における浴室内の乾・湿球温度差を求めて、その乾・湿球温度差がより大きい方に対応する換気風量を選択する仕方は、衣類の乾燥速度が、浴室の乾・湿球温度差に比例することから良い方法である。しかしながら、換気風量切換え前の乾・湿球温度差の測定時刻と換気風量切換え後の乾・湿球温度差の測定時刻は、異なっていて、換気風量切換え前後の乾・湿球温度差を検出して比較判断する場合、判断に誤謬を含むことがある。即ち、換気風量切換え直後の浴室内の空気温度・湿度の状態は、一時的（概ね１０分程）に過渡的な状態になり、乾・湿球温度差は大きく変動しとても不安定な状態になる。従って、換気風量切換え直後の乾・湿球温度差は正確な値を示さない。また、換気風量切換え後の安定時の乾・湿球温度差の値は、換気風量切換え前の乾・湿球温度差と同一時刻で検出されないため、時間の経過により乾・湿球温度差の変化が大きい場合、換気風量切換え前後の乾・湿球温度差の比較は、正確性を欠くことがある。
【０００５】
本発明は、上記した課題を解決するためになされたものであり、その目的とするところは、換気風量切換え前後の乾・湿球温度差を正確に検出して比較することにより、適切な換気風量を設定し、衣類の乾燥時間の短縮、乾燥効率の向上を推し図ることができる換気乾燥機の制御方法を提供することであり、その制御方法を実現する換気乾燥機を提供することである。
【課題を解決するための手段】
【０００６】
上記課題を解決するために本発明は、乾燥室内の空気を換気する換気用送風機と、乾燥室内の空気を循環させて加熱するヒータを有する循環用送風機と、乾燥室内の温度と湿度を検知する検知手段とを備えた換気乾燥機において、換気風量をある時間毎に切換えて行くのにあたり、換気風量切換え後の乾・湿球温度差を、乾・湿球温度差が安定する所定時間後に検出し、換気風量切換え前の乾・湿球温度差を前記所定時間後と同時刻に対応する値を外挿して検出し、換気風量切換え前後で、その時の乾燥室内の乾・湿球温度差が大きくなるように換気風量を選択して切換えるようにする手段を採用する。また、換気風量を、乾燥室内のある設定相対湿度により、又はある設定絶対湿度により、そしてさらには、乾燥室内外のある設定絶対湿度差により切換えるようにする手段を採用する。また、こうした制御手段を換気乾燥機に備える手段を採用する。
【発明の効果】
【０００７】
本発明によれば、所定の設定に応じて換気風量を切換えて行くにあたり、換気風量切換え前の乾・湿球温度差を、換気風量切換え後の乾・湿球温度差が安定する所定の時間後に検出し、前記所定の時間後と同時刻に対応する乾・湿球温度差の値を外挿して検出するため、換気風量切換え前後の乾・湿球温度差の比較は、測定時差が補正された正確性の高いものとなり、被乾燥物の量、温度、湿度、乾燥室の広さなどに拘らず、より短時間で効率よく衣類を乾燥させることができる。
【発明を実施するための最良の形態】
【０００８】
本発明の換気乾燥機は、乾燥室である浴室内の空気を浴室外に排気する換気用送風機と、浴室内の空気を循環して暖めるヒータを有する循環用送風機と、浴室内の温度と湿度を検知する検知手段を備え、浴室の天井に設けられるようになっている。換気乾燥機には制御回路が備えられ、換気用送風機や循環用送風機並びにヒータが制御される。制御回路は、衣類の乾燥において、換気風量をある時間毎に切換えて行く。換気風量の切換えにあたり、制御回路は次のような制御動作を行う。即ち、換気風量切換え後の乾・湿球温度差を、乾・湿球温度差が安定する所定の時間後（１０分後）に検出し、換気風量切換え前の乾・湿球温度差を前記所定の時間後（１０分後）と同時刻に対応する値を多項式を用いて外挿して検出し、換気風量切換え前後で、その時の乾燥室の乾・湿球温度差が大きくなるように換気風量を選択して切換えるようにする。
【０００９】
所定の時間毎に換気風量を切換えて行くにあたり、換気風量切換え前の乾・湿球温度差を、換気風量切換え後の乾・湿球温度差が安定する所定の時間後（１０分後）に検出し、前記所定の時間後（１０分後）と同時刻に対応する乾・湿球温度差の値を外挿して検出するため、換気風量切換え前後の乾・湿球温度差の比較は、測定時差が補正された正確性の高いものとなり、被乾燥物の量、温度、湿度、乾燥室の広さなどに拘らず、より短時間で効率よく衣類を乾燥させることができる。
【００１０】
実施の形態１．
本実施の形態の換気乾燥機は、設置状態で示す図１の構成図に示すように、乾燥室である浴室１内の空気を浴室１外に排気する換気用送風機２と、浴室１内の空気を循環して暖めるヒータ３を有する循環用送風機４と、浴室１内の温度を検知する温度センサー５と、湿度を検知する湿度センサー６とを備え、浴室１の天井に設けられるようになっている。換気乾燥機には制御手段としての制御回路７が備えられ、換気用送風機２や循環用送風機４並びにヒータ３が制御される。
【００１１】
制御回路７は、衣類の乾燥について次のような制御動作を行う。即ち、衣類乾燥モードが選択されると、循環用送風機４及びヒータ３並びに換気用送風機２が運転される。浴室１内に掛けられた濡れた衣類の水分が、温風により蒸発していき乾燥していく。換気用送風機２による気流は、浴室１のドアの取入口８から浴室１内に入り、衣類から蒸発した水分とともに浴室１の天井の吸込口から換気乾燥機に入り浴室１の外部に排気される。浴室１内の状態は、温度センサー５や湿度センサー６で検知され、制御回路７で演算され、乾球温度、相対湿度、湿球温度、絶対湿度が算出される。
【００１２】
換気風量を大、中、小の三種類にして、浴室１内の衣類重量と乾燥時間の関係を測定した乾燥試験の結果を図２に示した。衣類重量は、浴室１内に設置した吊り棒に吊るした衣類の総重量を重量計で計測したものである。換気風量が一定のとき、換気風量が大きい方が衣類の重量減少が大きく、衣類の乾燥速度は速く、乾燥時間も短いことが分かる。図２の乾燥曲線から近似式を作り、微分して図３に示す乾燥速度曲線を求めた。図３において、乾燥初期では換気風量が大の方が乾燥速度が大きく、乾燥中期では換気風量が中の方が乾燥速度が速く、乾燥終期では換気風量が小の方が乾燥速度が速いことが分かった。このことから、乾燥初期では換気風量を大にして、時間を経るに連れて換気風量を小さくして行く方法を採ることが合理性のある制御手法であることが判明した。
【００１３】
つまり乾燥初期は、衣類からの水分蒸発量が大きく、換気風量を大きくして浴室１内の湿度を低下させれば乾燥速度が速くなり、乾燥の終期ころは、衣類からの水分の蒸発量が少なくなっていき、換気風量を小さくして浴室１内の温度を高め、相対湿度を下げることにより乾燥速度は速くなるということに帰結する。換気風量の切換えは、衣類の重量検知によって行うことは実際問題として無理なため、浴室１内の温度及び湿度を温度センサー５と湿度センサー６で検知し、制御回路７で演算した乾球温度、湿球温度、相対湿度、絶対湿度等に基づいて乾燥運転の制御を行う。
【００１４】
衣類のような水で濡れたものを温風で乾燥させる場合の乾燥速度は、Ｗｖ＝ｈＡ（ｔｄ−ｔｗ）で表すことができる。ここで、Ｗｖは乾燥速度、ｈは衣類表面の空気流の熱伝達率、Ａは衣類表面積、ｔｄは空気の乾球温度、ｔｗは空気の湿球温度である。つまり、乾燥速度は乾・湿球温度差に比例する。乾球温度ｔｄは、温度センサー５の出力から、湿球温度ｔｗは、温度センサー５と湿度センサー６の出力から演算して求めることができる。図２の乾燥曲線を、浴室１内の温度・湿度測定から求めた乾・湿球温度差と時間との関係を示した図４に見られるように、乾燥初期は、換気風量大の方がｔｄ−ｔｗが大きく、乾燥速度も速い。乾燥中期では、換気風量中の方がｔｄ−ｔｗが大きく、さらに乾燥終期では換気風量小の方がｔｄ−ｔｗが大きい。従って、換気風量は、乾燥初期では大に、時間を経るに連れ減少させていくことにより乾燥効率を向上させることができる。
【００１５】
換気風量の切換え前後の乾・湿球温度差の比較に関しては、図５に示す方法によって行う。即ち、図５のＫ点で換気風量を減少させる方向に切換えたとき、浴室１内の乾・湿球温度差ｔｄ−ｔｗの変化がほぼ安定するまでの時間（τ≒１０分）は、切換え後の換気風量で換気乾燥機を運転させる。一般的には、時間（τ）後の乾・湿球温度差ｔｄ−ｔｗの状態は、図５のａ点あるいはｂ点になる。一方、換気風量を切換える前の状態で換気乾燥機を運転していた場合を想定して、乾・湿球温度差ｔｄ−ｔｗのＫ点以降の変化は、Ｋ点以前の乾・湿球温度差ｔｄ−ｔｗの変化から類推して多項式（三次項式等）を用いて外挿し、換気風量切換え後の時間（τ）後の乾・湿球温度差ｔｄ−ｔｗは、ＫＧ点であると推定する。換気風量切換え後の時間（τ）後の乾・湿球温度差ｔｄ−ｔｗがａ点であれば、ａ＞ＫＧであるので換気風量は減少させたままにし、換気風量切換え後の時間（τ）後の乾・湿球温度差ｔｄ−ｔｗがｂ点であれば、ｂ＜ＫＧであるので換気風量を元に戻し、換気風量を再度増加させる。このようにして、換気風量切換え前後の乾・湿球温度差を検出し、比較して最適換気風量を決定する。
【００１６】
換気風量切換えを設定された時間τ経過後に行うようにした換気乾燥機について、図６と図７に示すフローチャートに基づいて上述の制御動作を説明する。衣類乾燥モードが選択され、運転がスタートされる（ステップ１）と、循環用送風機４及びヒータ３を動作させ、換気用送風機２を換気風量大で設定時間τ１運転する処理を行う（ステップ２）。換気風量大のときの運転経過時および所定時間τ１後の乾・湿球温度差Δｔ１から、換気風量中の所定時間τ２後に相当する外挿した乾・湿球温度差Δｔｌｇを温度センサー５と湿度センサー６からの出力を元に制御回路７が演算し、メモリ等に記憶する（ステップ３）。所定時間τ１経過後、換気風量を大から中に変更し、所定時間τ２運転する（ステップ４）。換気風量中のときの乾・湿球温度差Δｔｍを温度センサー５及び湿度センサー６の出力から算出する（ステップ５）。続いて、乾・湿球温度差ΔｔｌｇとΔｔｍの比較を行い（ステップ６）、ΔｔｌｇがΔｔｍより大きければステップ２に戻り、換気風量を大に戻して運転を行う。そして、ΔｔｍがΔｔｌｇより大きくなるまで、ステップ２〜ステップ６までの動作を繰返す。
【００１７】
ステップ６でΔｔｍがΔｔｌｇより大きいと判定されると、換気風量中で所定時間τ３運転させる（ステップ７）。換気風量中のときの運転経過時および所定時間τ３後の乾・湿球温度差Δｔｍ，から、換気風量小の所定時間τ４後に相当する外挿した乾・湿球温度差Δｔｍ，ｇを温度センサー５と湿度センサー６からの出力を基に制御回路７が演算し、メモリ等に記憶する（ステップ８）。所定時間τ３経過後、換気風量を中から小に変更し、所定時間τ４運転する（ステップ９）。換気風量小のときの乾・湿球温度差Δｔｓを温度センサー５及び湿度センサー６の出力から算出する（ステップ１０）。続いて、乾・湿球温度差Δｔｍ，ｇとΔｔｓの比較を行い（ステップ１１）、Δｔｍ，ｇがΔｔｓより大きければステップ７に戻り、換気風量を中に戻して運転を行う。そして、ΔｔｓがΔｔｍ，ｇより大きくなるまで、ステップ７〜ステップ１１までの動作を繰返す。ステップ１１でΔｔｓがΔｔｍ，ｇより大きいと判定されると、換気風量を小で運転し（ステップ１２）、その後、乾燥終了の検知手段（図示しない）の終了信号で運転が終了される（ステップ１３）。
【００１８】
この実施の形態では、時間に基づいて換気風量を変更する際に、基本的に乾・湿球温度差が大きくなるように、すなわち乾燥速度が速くなるように換気風量を選択することで乾燥時間の短縮が実現でき、乾燥効率の向上を推進できる。なお、大、中、小の三種類の換気風量での制御について説明したが、さらに多くの種類の換気風量を採用することで、より効果的で短時間の衣類乾燥を実現することができる。
【００１９】
実施の形態２．
本実施の形態は、浴室の換気風量をある設定相対湿度を基準に切換え、その風量切換えの際に、風量切換え前後における浴室内の乾・湿球温度差がより大きい方に対応する換気風量を選択しながら、換気風量を決定していくようにしたものであり、これに係る構成以外の基本的な構成は実施の形態１のものと同じである。従って、実施の形態１と同じ部分については、実施の形態１のものと同じ符号を用い、それらの説明は省略する。
【００２０】
本実施の形態の換気乾燥機は、換気風量切換えを設定された相対湿度を基準にして行うようにしたものである。図８と図９に示すフローチャートに基づいてその制御回路７の制御動作を説明する。衣類乾燥モードが選択され、運転がスタートされる（ステップ１）と、循環用送風機４及びヒータ３を動作させ、換気用送風機２を換気風量大で運転する処理を行い（ステップ２）ステップ３へ進む。ステップ３では浴室１内の相対湿度φが所定の設定値Ａ（例えば５０％）になったかどうかを判定する。浴室１内の相対湿度φが設定値Ａ以上であればステップ２に戻り、換気風量大の運転を続ける。相対湿度φが設定値Ａ未満であれば、換気風量大のときの運転経過時の乾・湿球温度差Δｔ１から、換気風量中の所定時間τ１後に相当する外挿した乾・湿球温度差Δｔｌｇを温度センサー５と湿度センサー６からの出力を基に制御回路７が演算し、メモリ等に記憶する（ステップ４）。そして、換気風量を大から中に変更し、所定時間τ１運転する（ステップ５）。
【００２１】
換気風量中のときの乾・湿球温度差Δｔｍを温度センサー５及び湿度センサー６の出力から算出する（ステップ６）。続いて、乾・湿球温度差ΔｔｌｇとΔｔｍの比較を行い（ステップ７）、ΔｔｌｇがΔｔｍより大きければステップ８に進み、換気風量を大に戻して所定時間τ２運転し、ステップ４に戻る。そして、ΔｔｍがΔｔｌｇより大きくなるまで、ステップ４〜ステップ８までの動作を繰返す。ステップ７でΔｔｍがΔｔｌｇより大きいと判定されると、換気風量中にして運転させる（ステップ９）。ステップ１０で浴室１内の相対湿度φが所定の設定値Ｂ（例えば３０％）になったかどうかを判定する。浴室内の相対湿度φが所定の設定値Ｂ以上であればステップ９へ戻り、換気風量中の運転を続ける。ステップ１０で浴室１内の相対湿度φが設定値Ｂ未満と判定すると、換気風量中のときの運転経過時の乾・湿球温度差Δｔｍ，から、換気風量小の所定時間τ３後に相当する外挿した乾・湿球温度差Δｔｍ，ｇを温度センサー５と湿度センサー６からの出力を基に制御回路７が演算し、メモリ等に記憶する（ステップ１１）。そして、換気風量を中から小に変更し、所定時間τ３運転し（ステップ１２）、換気風量小のときの乾・湿球温度差Δｔｓを温度センサー５及び湿度センサー６の出力から算出する（ステップ１３）。続いて、乾・湿球温度差Δｔｍ，ｇとΔｔｓの比較を行い（ステップ１４）、Δｔｍ，ｇがΔｔｓより大きければステップ１５に進み、換気風量を中に戻して所定時間τ４運転を行いステップ１１へ戻る。そして、ΔｔｓがΔｔｍ，ｇより大きくなるまで、ステップ１１〜ステップ１５までの動作を繰返す。ステップ１４でΔｔｓがΔｔｍ，ｇより大きいと判定されると、換気風量を小で運転し（ステップ１６）、その後、乾燥終了の検知手段（図示しない）の終了信号で運転が終了される（ステップ１７）。
【００２２】
この実施の形態では、乾・湿球温度差が大きくなるように、すなわち乾燥速度が速くなるように換気風量を選択することで乾燥時間の短縮が実現でき、乾燥効率の向上を推進できる。なお、ここでも大、中、小の三種類の換気風量での制御について説明したが、さらに多くの種類の換気風量を採用することで、より効果的で短時間の衣類乾燥を実現することができる。また、換気風量の切換えを設定した相対湿度で行って制御しているが、これを設定絶対湿度で換気風量の切換えを行うようにしても、同様の効果が得られる。
【００２３】
実施の形態３．
本実施の形態は、浴室の外にも温度センサー及び湿度センサーを設け、浴室内外の絶対湿度差を検知できるようにしたもので、これに係る構成以外の基本的な構成は実施の形態１のものと同じである。従って、実施の形態１と同じ部分については、実施の形態１のものと同じ符号を用い、それらの説明は省略する。
【００２４】
本実施の形態の換気乾燥機は、図１０に構成図を示すように浴室１の外の脱衣室９にも温度センサー１０及び湿度センサー１１を設け、浴室１内外の絶対湿度差を検知できるようにし、換気風量切換えを設定された浴室１内外の絶対湿度差を基準にして行うようにしたものである。浴室１内の絶対湿度をＸｉとし、浴室１外の絶対湿度をＸｏとして、その差をΔＸとすると、ΔＸ＝Ｘｉ−Ｘｏとなり、衣類からの水分蒸発量Ｗは、Ｗ＝γＱｅΔＸとなる。ここで、γは空気の密度、Ｑｅは換気風量である。これにより、衣類の水分蒸発量が正確に分かり、予め衣類の水分蒸発量と最適換気風量の相関をとっておけば、換気風量の制御がより正確に行えることになる。つまり、浴室１内の換気風量を浴室１内外の設定された絶対湿度差に基づいて切換え、その切換えの際に、換気風量切換え前後における乾・湿球温度差を求めて比較し、その乾・湿球温度差がより大きい方に対応する換気風量を選択しながら換気風量を決定していく制御方法である。
【００２５】
図１１と図１２に示すフローチャートに基づいてその制御回路７の制御動作を説明する。衣類乾燥モードが選択され、運転がスタートされる（ステップ１）と、循環用送風機４及びヒータ３を動作させ、換気用送風機２を換気風量大で運転する処理を行い（ステップ２）、ステップ３へ進む。ステップ３では換気風量最大時の運転経過時における浴室１内外の絶対湿度差ΔＸ１を温度センサー５，１０と湿度センサー６，１１の出力から算出し、ステップ４でΔＸ１と所定の設定値Ｃを比較する。
【００２６】
浴室１内外の絶対湿度差ΔＸ１が設定値Ｃ以上であればステップ２に戻り、換気風量大の運転を続ける。絶対湿度差ΔＸ１が設定値Ｃ未満であれば、換気風量大のときの運転経過時の乾・湿球温度差Δｔ１から、換気風量中の所定時間τ１後に相当する外挿した乾・湿球温度差Δｔｌｇを温度センサー５と湿度センサー６からの出力を基に制御回路７が演算し、メモリ等に記憶する（ステップ５）。そして、換気風量を大から中に変更し、所定時間τ１運転する（ステップ６）。換気風量中のときの乾・湿球温度差Δｔｍを温度センサー５及び湿度センサー６の出力から算出する（ステップ７）。続いて、乾・湿球温度差ΔｔｌｇとΔｔｍの比較を行い（ステップ８）、ΔｔｌｇがΔｔｍより大きければステップ９に進み、換気風量を大に戻して所定時間τ２運転し、ステップ５に戻る。そして、ΔｔｍがΔｔｌｇより大きくなるまで、ステップ５〜ステップ９までの動作を繰返す。
【００２７】
ステップ８でΔｔｍがΔｔｌｇより大きいと判定されると、換気風量中にして運転させる（ステップ１０）。ステップ１１で浴室１内外の絶対湿度差ΔＸ２を算出し、ステップ１２で、絶対湿度差ΔＸ２が所定の設定値Ｄになったかどうかを判定する。浴室１内外の絶対湿度差ΔＸ２が所定の設定値Ｄ以上であればステップ１０へ戻り、換気風量中の運転を続ける。ステップ１２で絶対湿度差ΔＸ２が設定値Ｄ未満と判定すると、換気風量中のときの運転経過時の乾・湿球温度差Δｔｍ，から、換気風量小の所定時間τ３後に相当する外挿した乾・湿球温度差Δｔｍ，ｇを温度センサー５と湿度センサー６からの出力を基に制御回路７が演算し、メモリ等に記憶する（ステップ１３）。そして、換気風量を中から小に変更し、所定時間τ３運転し（ステップ１４）、換気風量小のときの乾・湿球温度差Δｔｓを温度センサー５及び湿度センサー６の出力から算出する（ステップ１５）。続いて、乾・湿球温度差Δｔｍ，ｇとΔｔｓの比較を行い（ステップ１６）、Δｔｍ，ｇがΔｔｓより大きければステップ１７に進み、換気風量を中に戻して所定時間τ４運転を行いステップ１３へ戻る。そして、ΔｔｓがΔｔｍ，ｇより大きくなるまで、ステップ１３〜ステップ１７までの動作を繰返す。ステップ１６でΔｔｓがΔｔｍ，ｇより大きいと判定されると、換気風量を小で運転し（ステップ１８）、その後、乾燥終了の検知手段（図示しない）の終了信号で運転が終了される（ステップ１９）。
【００２８】
この実施の形態では、浴室１内外の絶対湿度差に基づいて換気風量を変更するとともに、その変更の際に、基本的に乾・湿球温度差が大きくなるように、すなわち乾燥速度が速くなるように換気風量を選択することで乾燥時間の短縮が実現でき、乾燥効率の向上を推進できる。なお、ここでも大、中、小の三種類の換気風量での制御について説明したが、さらに多くの種類の換気風量を採用することで、より効果的で短時間の衣類乾燥を実現することができる。
【図面の簡単な説明】
【００２９】
【図１】換気乾燥機の構成を設置状態で示す構成図である。（実施の形態１）
【図２】換気風量の変化による、衣類乾燥時の衣類重量と時間の関係を示す説明図である。（実施の形態１）
【図３】換気風量の変化による、衣類乾燥時の衣類乾燥速度と時間の関係を示す説明図である。（実施の形態１）
【図４】換気風量の変化による、衣類乾燥時の浴室内の乾・湿球温度差と時間の関係を示す説明図である。（実施の形態１）
【図５】換気風量切換え時における乾・湿球温度差と時間の関係を示す説明図である。（実施の形態１）
【図６】制御回路の制御動作を示すフローチャートである。（実施の形態１）
【図７】制御回路の制御動作を示すフローチャートである。（実施の形態１）
【図８】制御回路の制御動作を示すフローチャートである。（実施の形態２）
【図９】制御回路の制御動作を示すフローチャートである。（実施の形態２）
【図１０】換気乾燥機の構成を設置状態で示す構成図である。（実施の形態３）
【図１１】制御回路の制御動作を示すフローチャートである。（実施の形態３）
【図１２】制御回路の制御動作を示すフローチャートである。（実施の形態３）
【符号の説明】
【００３０】
１  浴室、  ２  換気用送風機、  ３  ヒータ、  ４  循環用送風機、  ５  温度センサー、  ６  湿度センサー、  ７  制御回路、  １０  温度センサー、  １１  湿度センサー。
【図１】
2006064332.tif 000003
【図２】
2006064332.tif 000004
【図３】
2006064332.tif 000005
【図４】
2006064332.tif 000006
【図５】
2006064332.tif 000007
【図６】
2006064332.tif 000008
【図７】
2006064332.tif 000009
【図８】
2006064332.tif 000010
【図９】
2006064332.tif 000011
【図１０】
2006064332.tif 000012
【図１１】
2006064332.tif 000013
【図１２】
2006064332.tif 000014